(57)【要約】【課題】安価で、デザインの選択幅が広く、優れた安定性を有し、かつ、容易に組み立ておよび分解可能である物品陳列台を提供すること。【解決手段】本発明の物品陳列台は、底板と、第１の上板を含む少なくとも１つの上板と、底板と第１の上板とを連結する脚部と、脚部に取り付けられた背板と、を備える。これらの構成部材は、段ボール、厚紙または再生紙で構成されている。脚部は、上端部および下端部に突出部が設けられ、かつ、後部の所定の位置に上端から下方に向かって切欠き部が形成された少なくとも２つの垂直板で構成され、垂直板の上端部の突出部が第１の上板に形成された嵌合孔に嵌合し、垂直板の下端部の突出部が底板に形成された嵌合孔に嵌合し、垂直板の後部の切欠き部の下端部と背板に形成された係合孔の上端部とが係合し、これにより、物品陳列台は組み立ておよび分解可能に構成されている。【選択図】図１
2017113264.tif 000002
【特許請求の範囲】
【請求項１】
底板と、第１の上板を含む少なくとも１つの上板と、該底板と該第１の上板とを連結する脚部と、該脚部に取り付けられた背板と、を備え、
これらの構成部材が、段ボール、厚紙または再生紙で構成されており、
該脚部が、上端部および下端部に突出部が設けられ、かつ、後部の所定の位置に上端から下方に向かって切欠き部が形成された少なくとも２つの垂直板で構成され、該垂直板の上端部の突出部が該第１の上板に形成された嵌合孔に嵌合し、該垂直板の下端部の突出部が該底板に形成された嵌合孔に嵌合し、該垂直板の後部の切欠き部の下端部と該背板に形成された係合孔の上端部とが係合し、これにより、組み立ておよび分解可能に構成されている、
物品陳列台。
【請求項２】
前記背板が、前記底板よりも下方に突出している、請求項１に記載の物品陳列台。
【請求項３】
前記底板の前部に下方に突出するように取り付けられた支持板をさらに備え、該支持板と前記背板の突出部とにより載置台に固定されるよう構成されている、請求項２に記載の物品陳列台。
【請求項４】
第１の上板および第２の上板からなる２つの上板を備え、該第１の上板と該第２の上板とを連結する第２の脚部をさらに備える、請求項１から３のいずれかに記載の物品陳列台。
【請求項５】
３つ以上の上板を備える、請求項１から４のいずれかに記載の物品陳列台。
【請求項６】
前記背板の前面に装飾が施されている、請求項１から５のいずれかに記載の物品陳列台。
【発明の詳細な説明】
【技術分野】
【０００１】
本発明は、物品陳列台に関する。より詳細には、本発明は、安価で、デザインの選択幅が広く、優れた安定性を有し、かつ、容易に組み立ておよび分解可能である物品陳列台に関する。
【背景技術】
【０００２】
近年、商品の販売は、店員が顧客に注文や要望を聞きながら販売する対面方式から、陳列棚や陳列台に並ぶ商品を顧客自身が手にとってレジで購入するセルフ方式が主流となってきている。また、駅などの公共空間に陳列棚や陳列台を設置して地方の特産品を展示する等のキャンペーンが頻繁に行われている。このようなセルフ方式の販売やキャンペーンにおいては、販促商品やキャンペーン対象商品を、印象的な表示や装飾を施したパネルやＰＯＰとともに陳列台に印象的に配置して、顧客の目を引くことが行われている。このような物品陳列台は、対象商品の大きさやイメージに合わせて、キャンペーンやイベントの都度、専用の陳列台として用意されることが多い。しかし、期間限定のキャンペーン等において、その都度、プラスチック成形体やスチールの組み立て体からなる陳列台を用意することはコストがかかり、また省資源の点からも好ましくない。
【０００３】
上記のような観点から、不要の場合は全体を分解したり平たく折り畳んだりして保管することのできる段ボール製や厚紙製の組立式陳列台が提案されている（例えば、特許文献１）。しかし、特許文献１に記載の陳列台は、二つ折りして畳めるので保管に場所をとらないものの、最初の組み立て時に複雑な接着作業や取り付け作業が必要であり、組立作業が非常に煩雑である。
【先行技術文献】
【特許文献】
【０００４】
【特許文献１】特開２００１−１４９１９０号公報
【発明の概要】
【発明が解決しようとする課題】
【０００５】
本発明は上記従来の課題を解決するためになされたものであり、その目的とするところは、安価で、デザインの選択幅が広く、優れた安定性を有し、かつ、容易に組み立ておよび分解可能である物品陳列台を提供することにある。
【課題を解決するための手段】
【０００６】
本発明の物品陳列台は、底板と、第１の上板を含む少なくとも１つの上板と、該底板と該第１の上板とを連結する脚部と、該脚部に取り付けられた背板と、を備え、これらの構成部材は、段ボール、厚紙または再生紙で構成されている。該脚部は、上端部および下端部に突出部が設けられ、かつ、後部の所定の位置に上端から下方に向かって切欠き部が形成された少なくとも２つの垂直板で構成され、該垂直板の上端部の突出部が該第１の上板に形成された嵌合孔に嵌合し、該垂直板の下端部の突出部が該底板に形成された嵌合孔に嵌合し、該垂直板の後部の切欠き部の下端部と該背板に形成された係合孔の上端部とが係合し、これにより、物品陳列台は組み立ておよび分解可能に構成されている。
１つの実施形態においては、上記背板は、上記底板よりも下方に突出している。
１つの実施形態においては、上記物品陳列台は、上記底板の前部に下方に突出するように取り付けられた支持板をさらに備え、該支持板と上記背板の突出部とにより載置台に固定されるよう構成されている。
１つの実施形態においては、上記物品陳列台は、第１の上板および第２の上板からなる２つの上板を備え、該第１の上板と該第２の上板とを連結する第２の脚部をさらに備える。
１つの実施形態においては、上記物品陳列台は、３つ以上の上板を備える。
１つの実施形態においては、上記物品陳列台は、上記背板の前面に装飾が施されている。
【発明の効果】
【０００７】
本発明の実施形態によれば、段ボール、厚紙または再生紙で構成された構成部材（板部材）を嵌め込みおよび係合させて組み立てることにより作製することができ、かつ、容易に構成部材に分解することができる物品陳列台が提供される。このような物品陳列台は、その組み立ておよび分解に接着剤も特殊な器具も必要とされず、繰り返しの組み立ておよび分解が可能となる。したがって、キャンペーンや展示会等の使用時以外は場所を問わずに保管することができ、かつ、繰り返しの使用が可能となる。したがって、本発明の物品陳列台は、コスト削減および省資源の観点からきわめて有効である。さらに、このような物品陳列台は、非常に軽量で、デザインの選択幅が広く、かつ、環境にやさしいという利点を有する。
【図面の簡単な説明】
【０００８】
【図１】本発明の１つの実施形態による物品陳列台の組み立てた状態における概略斜視図である。
【図２】図１の物品陳列台の分解状態における概略平面図である。
【図３】図１の物品陳列台の分解状態における概略平面図である。
【図４】図１の物品陳列台の使用状態を説明する概略斜視図である。
【図５】本発明の別の実施形態による物品陳列台の使用状態を説明する概略斜視図である。
【図６】本発明のさらに別の実施形態による物品陳列台の使用状態を説明する概略斜視図である。
【図７】本発明のさらに別の実施形態による物品陳列台の使用状態を説明する概略斜視図である。
【発明を実施するための形態】
【０００９】
以下、図面を参照して本発明の代表的な実施形態について説明するが、本発明はこれらの実施形態には限定されない。
【００１０】
図１は、本発明の１つの実施形態による物品陳列台の組み立てた状態における概略斜視図であり；図２は、図１の物品陳列台の分解状態における概略平面図であり；図３は、図１の物品陳列台の分解状態における概略斜視図であり；図４は、図１の物品陳列台の使用状態を説明する概略斜視図である。物品陳列台１００は、底板１０と、少なくとも１つの上板２０と、底板１０と上板２０とを連結する脚部３０と、脚部３０に取り付けられた背板４０と、を備える。図示例では、上板２０は、単一の上板（第１の上板）２１で構成されている。脚部は、少なくとも２つ（図示例では４つ）の垂直板３０、３０で構成されている。それぞれの垂直板３０の上端部には突出部３２が設けられ、下端部には突出部３４が設けられている。さらに、それぞれの垂直板３０の後部の所定の位置には、上端から下方に向かって切欠き部３６が形成されている。垂直板３０の上端部の突出部３２が第１の上板２１に形成された嵌合孔２２に嵌合し、下端部の突出部３４が底板１０に形成された嵌合孔１４に嵌合している。垂直板２０の後部の切欠き部３６の下端部３６ａと背板４０に形成された係合孔４６の上端部４６ａとが係合している。すなわち、物品陳列台１００は、各構成部材を嵌め込みおよび係合させて組み立てることにより作製することができ、かつ、容易に各構成部材に分解することができる。さらに、このような構成の物品陳列台は、優れた安定性を有する。
【００１１】
物品陳列台１００は、例えば以下の手順により組み立てることができる。まず、底板１０の嵌合孔１４に垂直板３０の下端部の突出部３４を嵌め込み一体化させる。次いで、上方から第１の上板２１を位置合わせして、垂直板３０の上端部の突出部３２を第１の上板２１の嵌合孔２２に嵌め込む。垂直板を先に第１の上板に嵌め込んで一体化させてもよい。次いで、背板４０の係合孔４６に垂直板３０の後部を挿入し、その状態で背板４０を下方に移動させて、垂直板２０の切欠き部３６の下端部３６ａと背板４０の係合孔４６の上端部４６ａとを係合させる。このようにして、物品陳列台１００を組み立てることができる。物品陳列台１００を分解する場合には、上記と逆の手順を行えばよい。このように、陳列台１００の組み立ておよび分解には、接着剤も特殊な器具も必要とされず、繰り返しの組み立ておよび分解が可能となる。したがって、キャンペーンや展示会等の使用時以外は場所を問わずに保管することができ、かつ、繰り返しの使用が可能となる。したがって、本発明の物品陳列台は、コスト削減および省資源の観点からきわめて有効である。
【００１２】
代表的には、物品陳列台を組み立てた状態において、背板４０は、底板１０よりも下方に突出している。さらに、代表的には、物品陳列台１００は、図示例のように底板１０の前部に下方に突出するように取り付けられた支持板５０をさらに備える。支持板５０は、上端部の突出部５８が底板１０の嵌合孔１８に嵌合することにより取り付けられている。このような構成であれば、図４に示すように、支持板５０と背板４０の突出部とにより物品陳列台１００を載置台（例えば、机）２００に固定することができる。
【００１３】
物品陳列台１００の構成部材（すなわち、底板１０、上板２０、脚部３０、背板４０および支持板５０）は、段ボール、厚紙または再生紙で構成されている。このような構成であれば、非常に軽量で、デザインの選択幅が広く、かつ、環境にやさしい物品陳列台を実現することができる。さらに、このような構成は、印刷が容易であるという利点を有する。
【００１４】
物品陳列台の使用状態について簡単に説明する。図４に示すように、物品陳列台１００は、代表的には、載置台（例えば、机）２００に固定されて使用され得る。このような構成とすることにより、普段使用されている机等を載置台として利用できるので、床面から展示・陳列位置までの無駄なスペースまで一体化することを回避することができる。その結果、低コスト化および保管時の省スペース化をさらに促進することができる。図示例では、底板１０と垂直板３０と上板（第１の上板）２１とで囲まれた部分、底板の前部、ならびに、上板の上面に展示・陳列空間が規定されている。
【００１５】
本発明の物品陳列台は、上記のとおり構成部材（板部材）を組み立てて構成されるので、目的および状況等に応じて所望のデザインを選択することができる。すなわち、本発明の物品陳列台は、デザインの選択幅が非常に広いという利点を有する。以下、図５〜図７を参照して本発明の物品陳列台のいくつかの変形例を説明する。
【００１６】
図５の物品陳列台１０１は、第１の上板２１および第２の上板２２からなる２つの上板を備える。この実施形態においては、物品陳列台１０１は、第１の上板２１と第２の上板２２とを連結する第２の脚部６０をさらに備える。第２の脚部６０により第１の上板２１と第２の上板２２とを連結する機構は、第１の上板２１と底板１０との連結について上記したとおりである。本発明の物品陳列台が、３つ以上の上板（したがって、それらを連結する第３、第４・・・の脚部）を備えてもよいことはいうまでもない。さらに、図示例のように、背板４０の前面に装飾が施されていてもよい。装飾としては、例えば、陳列物品の商標、キャッチコピーまたは製品情報、アイキャッチ効果を付与するデザインまたはカラーリングが挙げられる。
【００１７】
図６の物品陳列台１０２は、底板１０と第１の上板２１との間に前板７０をさらに備える。代表的には、前板７０には装飾が施され得る。装飾としては、背板の全面と同様に、例えば、陳列物品の商標、キャッチコピーまたは製品情報、アイキャッチ効果を付与するデザインまたはカラーリングが挙げられる。
【００１８】
図７の物品陳列台１０３は、第２の上板の両端部の上側に横板８０がさらに設けられている。横板８０は、前部において、第１の脚部および第２の脚部とともに連続する湾曲形状を規定し、デザイン的な効果を付与している。さらに、物品陳列台１０３には、画像表示装置（および、必要に応じてスピーカー）の載置部がさらに設けられている。このような構成によれば、陳列物品の製品情報、プロモーション画像等を動画および音声を用いて紹介することができる。
【００１９】
なお、脚部（垂直板）については、嵌合孔に嵌め込む構成について説明してきたが、両端の脚部（垂直板）は、上板と一体化してもよい。具体的には、上板の両端部を折り曲げ可能に構成し、折り曲げ部分を脚部としてもよい。この実施形態においても、両端以外の脚部（垂直板）は、代表的には、２つの上板あるいは上板と底板に嵌め込まれる。
【００２０】
上記の実施形態は適宜組み合わせてもよい。また、構成部材（板部材）の形状を適宜変更し、デザイン的な効果を付与してもよい。
【産業上の利用可能性】
【００２１】
本発明の物品陳列台は、各種物品の展示および陳列に好適に用いられ得る。
【符号の説明】
【００２２】
１０      底板
２０      上板
３０      垂直板（脚部）
４０      背板
５０      支持板
６０      第２の脚部
７０      前板
８０      横板
１００      物品陳列台
１０１      物品陳列台
１０２      物品陳列台
１０３      物品陳列台
２００      載置台
【図１】
2017113264.tif 000003
【図２】
2017113264.tif 000004
【図３】
2017113264.tif 000005
【図４】
2017113264.tif 000006
【図５】
2017113264.tif 000007
【図６】
2017113264.tif 000008
【図７】
2017113264.tif 000009